(57)【要約】【課題】チャネル状態情報を提供する改善された技法を提供する。【解決手段】少なくとも１つの送信アンテナを有する第１ネットワーク・ノードと少なくとも１つの受信アンテナを有する第２ネットワーク・ノードとの間で提供される無線通信チャネルのチャネル状態情報を提供するためのものであり、少なくとも１つの受信アンテナによってチャネルを介して少なくとも１つの送信アンテナから受信される信号からチャネル内の少なくとも１つのサブチャネルの時間領域で解決可能な各タップの特性を判定するステップと、特性を少なくとも１つのベクトルに配置するステップと、ベクトルの階層コードブックの第１レベルで複数のコードブック・ベクトルのうちの１つを選択することによって少なくとも１つのベクトルを量子化するステップと、複数のコードブック・ベクトルのうちの１つへのインデックスの指示を第１ネットワーク・ノードに提供するステップとを含む。【選択図】図１
2014220826.tif 000002
【特許請求の範囲】
【請求項１】
少なくとも１つの送信アンテナを有する第１ネットワーク・ノードと少なくとも１つの受信アンテナを有する第２ネットワーク・ノードとの間で提供される無線通信チャネルのチャネル状態情報を提供する方法であって、
前記少なくとも１つの受信アンテナによって前記チャネルを介して前記少なくとも１つの送信アンテナから受信される信号から前記チャネル内の少なくとも１つのサブチャネルの時間領域で解決可能な各タップの特性を判定するステップと、
前記特性を少なくとも１つのベクトルに配置するステップと、
ベクトルの階層コードブックの第１レベルで複数のコードブック・ベクトルのうちの１つを選択することによって前記少なくとも１つのベクトルを量子化するステップと、
複数のコードブック・ベクトルのうちの前記１つへのインデックスの指示を前記第１ネットワーク・ノードに提供するステップと
を含む方法。
【請求項２】
量子化する前記ステップは、
ベクトルごとに、ベクトルの複数の階層コードブックのうちの１つから第１レベルでの複数のコードブック・ベクトルのうちの１つを選択することによって、前記少なくとも１つのベクトルを量子化するステップ
を含む、請求項１に記載の方法。
【請求項３】
ベクトルの前記階層コードブックの階層的に関連するレベルから複数の階層的に関連するコードブック・ベクトルのうちの１つを選択することによって前記少なくとも１つのベクトルを再量子化するステップと、
複数の階層的に関連するコードブック・ベクトルのうちの前記１つへのインデックスの指示を前記第１ネットワーク・ノードに提供するステップと
を含む、請求項１または２に記載の方法。
【請求項４】
ベクトルの前記階層コードブックの階層的に関連するレベルからの複数の階層的に関連するコードブック・ベクトルのうちの前記１つは、前記階層コードブックの子レベルからの複数の子コードブック・ベクトルのうちの１つを含む、請求項３に記載の方法。
【請求項５】
ベクトルの前記階層コードブックの階層的に関連するレベルからの複数の階層的に関連するコードブック・ベクトルのうちの前記１つは、前記階層コードブックの親レベルからの複数の親コードブック・ベクトルのうちの１つを含む、請求項３に記載の方法。
【請求項６】
量子化する前記ステップの前に、前記少なくとも１つのベクトルを前処理するステップ
を含む、請求項１乃至５のいずれか１項に記載の方法。
【請求項７】
前記前処理が正規化を含む時に、正規化する前記ステップによって作られる少なくとも１つのスカラ値を量子化し、前記少なくとも１つのスカラの指示を前記第１ネットワーク・ノードに提供するステップ
を含む、請求項６に記載の方法。
【請求項８】
前記第１ネットワーク・ノードは、少なくともＭ個の送信アンテナを含み、前記第２ネットワーク・ノードは、少なくともＮ個の受信アンテナを含み、判定する前記ステップは、
前記少なくともＮ個の受信アンテナによって前記チャネルを介して前記少なくともＭ個の送信アンテナから受信される信号から前記チャネル内の各サブチャネルの時間領域で解決可能なＬ個のタップの特性を判定するステップであって、Ｌは正の整数である、ステップ
を含む、請求項１乃至７のいずれか１項に記載の方法。
【請求項９】
配置する前記ステップは、
前記チャネル内の各サブチャネルの時間領域で解決可能な前記Ｌ個のタップの前記特性を各タップの前記少なくともＮ個の受信アンテナのそれぞれの特性のベクトルに配置するステップ
を含む、請求項８に記載の方法。
【請求項１０】
配置する前記ステップは、
前記チャネル内の各サブチャネルの時間領域で解決可能な前記Ｌ個のタップの前記特性を各タップの前記少なくともＭ個の送信アンテナのそれぞれの特性のベクトルに配置するステップ
を含む、請求項８に記載の方法。
【請求項１１】
配置する前記ステップは、
前記チャネル内の各サブチャネルの時間領域で解決可能な前記Ｌ個のタップの前記特性を各タップの各受信アンテナの特性のベクトルの連結に配置するステップ
を含む、請求項８に記載の方法。
【請求項１２】
配置する前記ステップは、
前記チャネル内の各サブチャネルの時間領域で解決可能な前記Ｌ個のタップの前記特性を各タップの各送信アンテナの特性のベクトルの連結に配置するステップ
を含む、請求項８に記載の方法。
【請求項１３】
配置する前記ステップは、
前記チャネル内の各サブチャネルの時間領域で解決可能な前記Ｌ個のタップの前記特性を前記少なくともＭ個の送信アンテナのそれぞれおよび前記少なくともＮ個の受信アンテナのそれぞれの特性のベクトルに配置するステップであって、各ベクトルは、１×Ｌの次元を有する、ステップ
を含む、請求項８に記載の方法。
【請求項１４】
コンピュータ上で実行される時に、請求項１乃至１３のいずれか１項に記載の方法ステップを実行するように動作可能なコンピュータ・プログラム製品。
【請求項１５】
少なくとも１つの受信アンテナを有するネットワーク・ノードであって、少なくとも１つの送信アンテナを有する別のネットワーク・ノードと前記ネットワーク・ノードとの間に提供される無線通信チャネルのチャネル状態情報を提供するように動作可能であり、
前記少なくとも１つの受信アンテナによって前記チャネルを介して前記少なくとも１つの送信アンテナから受信される信号から前記チャネル内の少なくとも１つのサブチャネルの時間領域で解決可能な各タップの特性を判定するように動作可能な判定論理と、
前記特性を少なくとも１つのベクトルに配置するように動作可能な配置論理と、
ベクトルの階層コードブックの第１レベルで複数のコードブック・ベクトルのうちの１つを選択することによって前記少なくとも１つのベクトルを量子化するように動作可能な量子化論理と、
複数のコードブック・ベクトルのうちの前記１つへのインデックスの指示を前記別のネットワーク・ノードに提供するように動作可能な提供論理と
を含むネットワーク・ノード。
【発明の詳細な説明】
【技術分野】
【０００１】
本発明は、チャネル状態情報をフィードバックする装置および方法に関する。
【背景技術】
【０００２】
無線通信システム内の基地局は、その基地局に関連する地理的区域すなわちセル内のユーザ機器に無線接続性を提供する。基地局とユーザ機器のそれぞれとの間の無線通信リンクは、通常、基地局からユーザ機器へ情報を送信する１つまたは複数のダウンリンク（または順方向）チャネルと、ユーザ機器から基地局へ情報を送信する１つまたは複数のアップリンク（または逆方向）チャネルとを含む。基地局およびオプションでユーザ機器が複数のアンテナを含む時には、ＭＩＭＯ（ｍｕｌｔｉｐｌｅ−ｉｎｐｕｔ−ｍｕｌｔｉｐｌｅ−ｏｕｔｐｕｔ）技術を使用することができる。たとえば、複数のアンテナを含む基地局は、複数のユーザ機器に複数の独立の別個の信号を同時に同一の周波数帯で送信することができる。
【０００３】
たとえば、基地局にＭ個のアンテナ、ユーザ機器にＮ個のアンテナを有するセルラ・システムを検討されたい。そのような通信システムでは、基地局とユーザ機器との間の無線チャネルを、Ｎ×Ｍ個のリンク（サブチャネル）に関して記述することができる。各リンクは、通常、時間変動する複素利得（すなわち、振幅および位相）を有する。無線チャネルが広帯域である（すなわち、チャネルの遅延広がり（ｄｅｌａｙ  ｓｐｒｅａｄ）を超えるシンボル・レート）場合には、複素利得は、送信される信号の帯域幅にわたって変化する。したがって、無線チャネルの全体的な状態を、一連の複素重みとして記述することができる。このチャネル状態情報は、基地局が卓越チャネル状態に最も適切な形でユーザ機器に送信される信号をマッチングするためにその信号の特性を適合させることを可能にするために、ユーザ機器によって測定され、基地局にフィードバックされる。
【発明の概要】
【発明が解決しようとする課題】
【０００４】
チャネル状態情報フィードバックを提供する技法が存在するが、それらの技法は、それぞれ、それ自体の短所を有する。したがって、チャネル状態情報を提供する改善された技法を提供することが望ましい。
【課題を解決するための手段】
【０００５】
第１の態様によれば、少なくとも１つの送信アンテナを有する第１ネットワーク・ノードと少なくとも１つの受信アンテナを有する第２ネットワーク・ノードとの間で提供される無線通信チャネルのチャネル状態情報を提供する方法であって、少なくとも１つの受信アンテナによってチャネルを介して送信アンテナのうちの少なくとも１つから受信される信号からチャネル内の少なくとも１つのサブチャネルの時間領域で解決可能な各タップの特性を判定するステップと、特性を少なくとも１つのベクトルに配置するステップと、ベクトルの階層コードブックの第１レベルで複数のコードブック・ベクトルのうちの１つを選択することによって少なくとも１つのベクトルを量子化するステップと、複数のコードブック・ベクトルのうちの１つへのインデックスの指示を第１ネットワーク・ノードに提供するステップとを含む方法が提供される。
【０００６】
第１の態様は、フィードバックされるチャネル状態情報の正確さを高めることが、シグナリング・オーバヘッドを増やし、したがって、フィードバックされるチャネル状態情報の正確さとフィードバック・オーバヘッドとの間にトレードオフがあることを認めるものである。第１の態様は、少なくとも１つのサブチャネルの時間領域応答特性を判定することによって、支配的タップ（ｄｏｍｉｎａｎｔ  ｔａｐ）（すなわち、一次信号およびすべての二次信号または反射信号）を識別することによってこれらの時間領域特性の支配的態様に関する情報を提供することと、時間領域応答特性に関するより重要でない情報を送信する必要なしに第１ネットワーク・ノードがその送信を適合させるのに十分な情報を第１ネットワーク・ノードに提供する、これらのタップに関する情報（そのタイミング、振幅、および位相など）を送信することとが可能であることをも認めるものである。その情報を用いて、第１ネットワーク・ノードによって行われる送信を適合させることが可能である。
【０００７】
したがって、チャネル内の少なくとも１つのサブチャネルの時間領域で解決可能な各タップの特性が、受信アンテナによって受信された信号から判定される。したがって、受信信号のすべての特性を判定する必要はない。これらのタップは、たとえば、それらがある所定の信号しきい値を超えるという点で識別されることが可能であり、ならびにタップを区別可能にすることができるのに十分なだけ時間的に分離されることが可能である。その後、解決可能なタップの特性は、少なくとも１つのベクトルに配置される。特性をこのベクトルに配置することは、効率的なグループ化を提供し、このグループ化がなければ、後続の量子化ステップの利益を達成することがむずかしくなる。その後、後続の１つまたは複数のベクトルが、ベクトルの階層コードブックを使用して量子化される。ベクトルのそのような階層コードブックが、階層コードブックの各レベルで複数のコードブック・ベクトルを提供し、このレベルのそれぞれが、たとえばコードブック・ベクトルがたとえば量子化されるベクトルへの最もよい一致であること、そのベクトルへの最良一致であること、または最小の誤差を提供することなどの所定の判断基準に基づいて選択可能であることを了解されたいが、階層コードブックの使用が、量子化されるベクトルをよりよく表すことができるさらなるコードブック・ベクトルへの後続の洗練を可能にするので、他の選択判断基準を適用できることをも了解されたい。その後、選択されたコードブック・ベクトルへのインデックスを、第１ネットワーク・ノードに提供することができる。したがって、選択されたベクトル自体を送信するのではなく、そのベクトルへのインデックスだけを提供する必要があり、これが、通常はより少数のビットを用いて表現可能であることを了解されたい。第１ネットワーク・ノードは、ベクトルのコードブックのコピーをも有するが、その後、選択されたベクトルを識別し、そのコードブック・ベクトルからの各サブチャネルの時間領域で解決可能な各タップの近似特性を判定するのにそのベクトルを利用し、それ相応にその送信を適合させることができる。したがって、提供されるチャネル状態フィードバック情報の量を、各解決可能なタップの識別する特性だけの組合せを介して、これらの特性を量子化するための階層コードブックの利用によって、劇的に減らすことができ、これが、これらの特性のベクトルへの配置のゆえに可能であることがわかる。そのような手法は、フィードバックされる情報の量を最小にしながら、チャネル状態情報の十分に正確な指示を第１ネットワーク・ノードに提供することを可能にする。
【０００８】
一実施形態では、量子化するステップは、ベクトルごとに、ベクトルの複数の階層コードブックのうちの１つから第１レベルでの複数のコードブック・ベクトルのうちの１つを選択することによって、少なくとも１つのベクトルを量子化するステップを含む。したがって、異なるコードブックを、量子化されるベクトルごとに提供することができる。これが、ベクトルごとに適切なコードブックを選択することを可能にすることを了解されたい。
【０００９】
一実施形態では、この方法は、ベクトルの階層コードブックの階層的に関連するレベルから複数の階層的に関連するコードブック・ベクトルのうちの１つを選択することによって少なくとも１つのベクトルを再量子化するステップと、複数の階層的に関連するコードブック・ベクトルのうちの１つへのインデックスの指示を第１ネットワーク・ノードに提供するステップとを含む。したがって、ベクトルの量子化を、そのインデックスが前に第１基地局に助言されたベクトルに関連するコードブック・ベクトルを選択することによって、連続して洗練することができる。この連続的洗練は、チャネル状態情報の改善された指示を経時的に第１ネットワーク・ノードに戻すことを可能にする。
【００１０】
一実施形態では、ベクトルの階層コードブックの階層的に関連するレベルからの複数の階層的に関連するコードブック・ベクトルのうちの１つは、階層コードブックの子レベルからの複数の子コードブック・ベクトルのうちの１つを含む。したがって、経時的にゆっくりと変化するベクトルについて、その量子化の後続の洗練を、以前に第１ネットワーク・ノードに指示されたコードブック・ベクトルの子コードブック・ベクトルを選択することによって可能にすることができる。そのような子コードブック・ベクトルは、通常、以前に助言された親コードブック・ベクトルのより近い洗練である。
【００１１】
一実施形態では、ベクトルの階層コードブックの階層的に関連するレベルからの複数の階層的に関連するコードブック・ベクトルのうちの１つは、階層コードブックの親レベルからの複数の親コードブック・ベクトルのうちの１つを含む。したがって、よりすばやく時間変動する特性について、ベクトルを量子化するより適当なコードブック・ベクトルを選択するために、階層コードブックの親レベルにトラバースすることが必要である場合がある。
【００１２】
一実施形態では、この方法は、量子化するステップの前に、少なくとも１つのベクトルを前処理するステップを含む。
【００１３】
一実施形態では、この方法は、前処理が正規化を含む時に、正規化するステップによって作られる少なくとも１つのスカラ値を量子化し、少なくとも１つのスカラの指示を第１ネットワーク・ノードに提供するステップを含む。したがって、量子化プロセスの効率を、量子化を実行する前にベクトルを正規化することによってさらに改善することができる。また、正規化されたベクトルの量子化と同様に、正規化プロセス中に作られるスカラを量子化する必要もあり、これを、階層コードブックを介してまたは任意の他の適当なプロセスによって達成することもできる。
【００１４】
一実施形態では、判定するステップは、少なくとも１つのサブチャネル上で経時的に受信された信号を所定のしきい値と比較することによって、少なくとも１つの受信アンテナによってチャネルを介して少なくとも１つの送信アンテナから受信される信号からチャネル内の少なくとも１つのサブチャネルの時間領域で解決可能な各タップの特性を判定するステップを含む。他の技法を利用して、各解決可能なタップの時間領域特性を判定できることを了解されたい。
【００１５】
一実施形態では、第１ネットワーク・ノードは、少なくともＭ個の送信アンテナを含み、第２ネットワーク・ノードは、少なくともＮ個の受信アンテナを含み、判定するステップは、少なくともＮ個の受信アンテナによってチャネルを介して少なくともＭ個の送信アンテナから受信される信号からチャネル内の各サブチャネルの時間領域で解決可能なＬ個のタップの特性を判定するステップであって、Ｌは正の整数である、ステップを含む。
【００１６】
一実施形態では、配置するステップは、チャネル内の各サブチャネルの時間領域で解決可能なＬ個のタップの特性を各タップの少なくともＮ個の受信アンテナのそれぞれの特性のベクトルに配置するステップであって、各ベクトルは１×Ｍの次元を有する、ステップを含む。
【００１７】
一実施形態では、配置するステップは、チャネル内の各サブチャネルの時間領域で解決可能なＬ個のタップの特性を各タップの少なくともＭ個の送信アンテナのそれぞれの特性のベクトルに配置するステップであって、各ベクトルは１×Ｎの次元を有する、ステップを含む。
【００１８】
一実施形態では、配置するステップは、チャネル内の各サブチャネルの時間領域で解決可能なＬ個のタップの特性を各タップの少なくともＮ個の受信アンテナのそれぞれの特性のＮ個のベクトルの連結に配置するステップであって、Ｎ個のベクトルのそれぞれは１×Ｍの次元を有する、ステップを含む。
【００１９】
一実施形態では、配置するステップは、チャネル内の各サブチャネルの時間領域で解決可能なＬ個のタップの特性を各タップの少なくともＭ個の送信アンテナのそれぞれの特性のＭ個のベクトルの連結に配置するステップであって、Ｍ個のベクトルのそれぞれは１×Ｎの次元を有する、ステップを含む。
【００２０】
一実施形態では、配置するステップは、チャネル内の各サブチャネルの時間領域で解決可能なＬ個のタップの特性を少なくともＭ個の送信アンテナのそれぞれおよび少なくともＮ個の受信アンテナのそれぞれの特性のベクトルに配置するステップであって、各ベクトルは、１×Ｌの次元を有する、ステップを含む。
【００２１】
一実施形態では、ネットワーク・ノードは、Ｍ個を超える送信アンテナを含み、Ｍ個の送信アンテナは、選択の結果を第２ネットワーク・ノードにシグナリングする第１ネットワーク・ノードによってまたは選択の結果を第１ネットワーク・ノードにシグナリングする第２ネットワーク・ノードによってのいずれかでＭ個を超える送信アンテナから選択される。
【００２２】
一実施形態では、第２ネットワーク・ノードは、Ｎ個を超える受信アンテナを含み、Ｎ個の受信アンテナは、選択の結果を第２ネットワーク・ノードにシグナリングする第１ネットワーク・ノードによってまたは選択の結果を第１ネットワーク・ノードにシグナリングする第２ネットワーク・ノードによってのいずれかでＮ個を超える受信アンテナから選択される。
【００２３】
第２の態様によれば、コンピュータ上で実行される時に第１の態様の方法ステップを実行するように動作可能なコンピュータ・プログラム製品が提供される。
【００２４】
第３の態様によれば、少なくとも１つの受信アンテナを有するネットワーク・ノードであって、少なくとも１つの送信アンテナを有する別のネットワーク・ノードとネットワーク・ノードとの間に提供される無線通信チャネルのチャネル状態情報を提供するように動作可能であり、少なくとも１つの受信アンテナによってチャネルを介して少なくとも１つの送信アンテナから受信される信号からチャネル内の少なくとも１つのサブチャネルの時間領域で解決可能な各タップの特性を判定するように動作可能な判定論理と、特性を少なくとも１つのベクトルに配置するように動作可能な配置論理と、ベクトルの階層コードブックの第１レベルで複数のコードブック・ベクトルのうちの１つを選択することによって少なくとも１つのベクトルを量子化するように動作可能な量子化論理と、複数のコードブック・ベクトルのうちの１つへのインデックスの指示を別のネットワーク・ノードに提供するように動作可能な提供論理とを含むネットワーク・ノードが提供される。
【００２５】
一実施形態では、量子化論理は、ベクトルごとに、ベクトルの複数の階層コードブックのうちの１つから第１レベルでの複数のコードブック・ベクトルのうちの１つを選択することによって、少なくとも１つのベクトルを量子化するように動作可能である。
【００２６】
一実施形態では、量子化論理は、ベクトルの階層コードブックの階層的に関連するレベルから複数の階層的に関連するコードブック・ベクトルのうちの１つを選択することによって少なくとも１つのベクトルを再量子化するように動作可能であり、提供論理は、複数の階層的に関連するコードブック・ベクトルのうちの１つへのインデックスの指示を第１ネットワーク・ノードに提供するように動作可能である。
【００２７】
一実施形態では、ベクトルの階層コードブックの階層的に関連するレベルからの複数の階層的に関連するコードブック・ベクトルのうちの１つは、階層コードブックの子レベルからの複数の子コードブック・ベクトルのうちの１つを含む。
【００２８】
一実施形態では、ベクトルの階層コードブックの階層的に関連するレベルからの複数の階層的に関連するコードブック・ベクトルのうちの１つは、階層コードブックの親レベルからの複数の親コードブック・ベクトルのうちの１つを含む。
【００２９】
一実施形態では、量子化論理は、量子化の前に、少なくとも１つのベクトルを前処理するように動作可能である。
【００３０】
一実施形態では、量子化論理は、前処理が正規化を含む時に、正規化するステップによって作られる少なくとも１つのスカラ値を量子化するように動作可能であり、提供論理は、少なくとも１つのスカラの指示を第１ネットワーク・ノードに提供するように動作可能である。
【００３１】
一実施形態では、判定論理は、少なくとも１つのサブチャネル上で経時的に受信された信号を所定のしきい値と比較することによって、少なくとも１つの受信アンテナによってチャネルを介して少なくとも１つの送信アンテナから受信される信号からチャネル内の少なくとも１つのサブチャネルの時間領域で解決可能な各タップの特性を判定するように動作可能である。
【００３２】
一実施形態では、第１ネットワーク・ノードは、少なくともＭ個の送信アンテナを含み、第２ネットワーク・ノードは、少なくともＮ個の受信アンテナを含み、判定論理は、少なくともＮ個の受信アンテナによってチャネルを介して少なくともＭ個の送信アンテナから受信される信号からチャネル内の各サブチャネルの時間領域で解決可能なＬ個のタップの時間を判定するように動作可能であり、Ｌは正の整数である。
【００３３】
一実施形態では、配置論理は、チャネル内の各サブチャネルの時間領域で解決可能なＬ個のタップの特性を各タップの少なくともＮ個の受信アンテナのそれぞれの特性のベクトルに配置するように動作可能であり、各ベクトルは、１×Ｍの次元を有する。
【００３４】
一実施形態では、配置論理は、チャネル内の各サブチャネルの時間領域で解決可能なＬ個のタップの特性を各タップの少なくともＭ個の送信アンテナのそれぞれの特性のベクトルに配置するように動作可能であり、各ベクトルは、１×Ｎの次元を有する。
【００３５】
一実施形態では、配置論理は、チャネル内の各サブチャネルの時間領域で解決可能なＬ個のタップの特性を各タップの少なくともＮ個の受信アンテナのそれぞれの特性のＮ個のベクトルの連結に配置するように動作可能であり、Ｎ個のベクトルのそれぞれは、１×Ｍの次元を有する。
【００３６】
一実施形態では、配置論理は、チャネル内の各サブチャネルの時間領域で解決可能なＬ個のタップの特性を各タップの少なくともＭ個の送信アンテナのそれぞれの特性のＭ個のベクトルの連結に配置するように動作可能であり、Ｍ個のベクトルのそれぞれは、１×Ｎの次元を有する。
【００３７】
一実施形態では、配置論理は、チャネル内の各サブチャネルの時間領域で解決可能なＬ個のタップの特性を少なくともＭ個の送信アンテナのそれぞれおよび少なくともＮ個の受信アンテナのそれぞれの特性のベクトルに配置するように動作可能であり、各ベクトルは、１×Ｌの次元を有する。
【００３８】
一実施形態では、第１ネットワーク・ノードは、Ｍ個を超える送信アンテナを含み、Ｍ個の送信アンテナは、選択の結果を第２ネットワーク・ノードにシグナリングする第１ネットワーク・ノードによってまたは選択の結果を第１ネットワーク・ノードにシグナリングする第２ネットワーク・ノードによってのいずれかでＭ個を超える送信アンテナから選択される。
【００３９】
一実施形態では、第２ネットワーク・ノードは、Ｎ個を超える受信アンテナを含み、Ｎ個の受信アンテナは、選択の結果を第２ネットワーク・ノードにシグナリングする第１ネットワーク・ノードによってまたは選択の結果を第１ネットワーク・ノードにシグナリングする第２ネットワーク・ノードによってのいずれかでＮ個を超える受信アンテナから選択される。
【００４０】
この手法を介して、チャネル状態情報フィードバックの正確さを、所与のフィードバック・オーバヘッドについて改善でき、あるいは、フィードバック・オーバヘッドを、所与の正確さについて減らすことができることがわかる。
【００４１】
さらに、特定の態様および好ましい態様が、添付の独立請求項および従属請求項に示される。従属請求項の特徴を、適当におよび特許請求の範囲に明示的に示されているもの以外の組合せで、独立請求項の特徴と組み合わせることができる。
【００４２】
本発明の実施形態を、これから添付図面を参照してさらに説明する。
【図面の簡単な説明】
【００４３】
【図１】一実施形態による無線遠隔通信ネットワークの主要コンポーネントを示す図である。
【図２】タップ特性を判定する技法を示す図である。
【図３】例の階層コードブック構造を示す図である。
【図４】階層コードブック構造の例の利用を示す図である。
【図５】階層コードブック構造の例の利用を示す図である。
【発明を実施するための形態】
【００４４】
概要
図１に、一実施形態による無線遠隔通信ネットワーク、全般的に１０の基地局２０およびユーザ機器３０の配置を示す。基地局２０およびユーザ機器３０は、第１ネットワーク・ノードおよび第２ネットワーク・ノードの例であるが、本技法を適用できるネットワーク・ノードの他の例が存在し、実際に、基地局およびユーザ機器の機能性を逆転できることを了解されたい。明瞭さのために１つの基地局およびユーザ機器だけが図示されているが、多数のそのような基地局およびユーザ機器をそのような無線遠隔通信ネットワーク内で展開できることを了解されたい。各基地局２０は、Ｍ個のアンテナを備えるが、各ユーザ機器３０は、Ｎ個のアンテナを備える。通常、ＭおよびＮのうちの少なくとも１つは、１より大きい整数値である。ＭＩＭＯ無線チャネルが、基地局２０とユーザ機器との間で確立され、サブチャネルが、基地局２０およびユーザ機器３０の各アンテナの間で提供される。下でより詳細に説明されるように、各サブチャネルは、基地局２０の任意の１つのアンテナとユーザ機器３０の任意の１つのアンテナとの間のさまざまな信号経路を表す複数のタップを有する。通常、これらのアンテナの間の直接経路とすることができる第１タップが存在する。通常、これらのアンテナの間の二次経路または反射経路である後続タップが存在する。送信された信号を、これらのタップのうちの任意の１つまたは複数あるいはその組合せから復号可能とすることができることを了解されたい。
【００４５】
各基地局２０は、それからチャネル状態情報を導出できる少なくとも１つの階層コードブックへのインデックスの指示を受信するように適合された少なくとも１つの処理手段と、このチャネル状態情報に基づいてその送信を調整する手段とを含む。
【００４６】
各ユーザ機器３０は、無線送信を使用するネットワーク内での信号の送信および受信に関するモバイル端末の機能性を含む。さらに、ユーザ機器３０は、基地局２０のアンテナとユーザ機器３０のアンテナとの間の少なくとも１つのサブチャネルに関する時間領域での少なくとも１つのチャネル・インパルス応答を判定し、タップを識別するために前記少なくとも１つのチャネル・インパルス応答を事前定義のしきい値と比較し、前記事前定義のしきい値より大きい電力を有する少なくとも１つのチャネル・インパルス応答の１つまたは複数の時間間隔に関連する少なくとも１つの複素係数すなわち解決可能なタップのそれぞれの係数だけを判定するように適合された少なくとも１つの処理手段を含む。ユーザ機器３０は、これらの複素係数を１つまたは複数のベクトルに配置する手段と、少なくとも１つの階層コードブックを使用してこれらのベクトルを量子化する手段と、階層コードブックから選択されたベクトルを識別するインデックスを基地局にシグナリングする手段とをも含む。
【００４７】
解決可能なタップの係数の識別、これらの係数のベクトルへの配置、および基地局への送信のためにインデックスを識別するための階層コードブックを使用するこれらのベクトルの量子化の組合せは、チャネル状態情報を提供することに対する特に効率的な技法を提供する。
【００４８】
タップ特性判定
Ｍ個のアンテナのうちの第ｍ基地局送信アンテナと包括的ユーザのＮ個のアンテナのうちの第ｎユーザ機器受信アンテナとの間のリンクに関するベースバンド・チャネル時間領域応答表現は、次のように表される。
【００４９】
【数１】
2014220826.tif 000003
ここで、
【００５０】
【数２】
2014220826.tif 000004
は、このリンクに関する解決可能な経路の集合を表す。例のサブチャネルに関するそのようなベースバンド・チャネル時間領域応答表現は、下でより詳細に説明されるように、ユーザ機器３０によって導出可能であり、図２Ｃに絵図的に示されている。
【００５１】
次の例では、｜Δｎｍ｜＝Ｌ∀ｎ，ｍと仮定する。言い替えると、解決可能な経路の個数が、異なるリンクについて同一であり、タップのタイミングが、各サブチャネルについて同一であると仮定する。
【００５２】
基地局２０は、サブチャネルのそれぞれを介してダウンリンクでデータ信号およびパイロット信号を送信する。ユーザ機器３０は、データおよびパイロットを受信し、好ましくはパイロットを使用してチャネル推定を実行し、このチャネル推定は、アンテナ対アンテナ・リンクあたりのすなわちサブチャネルごとおよび副搬送波あたりの、いわゆるチャネル伝達関数（ｃｈａｎｎｅｌ  ｔｒａｎｓｆｅｒ  ｆｕｎｃｔｉｏｎ、ＣＴＦ）をもたらす。
【００５３】
この例では、ユーザ機器３０内で実行される逆高速フーリエ変換（ＩＦＦＴ）によって、チャネル伝達関数（ＣＴＦ）を周波数領域から時間領域に変換し、各アンテナ対アンテナ・リンクのチャネル・インパルス応答（ＣＩＲ）をもたらすことができる。しかし、他の技法を使用してこの時間領域情報を導出できることを了解されたい。
【００５４】
図２Ａでは、経時的なチャネル・インパルス応答の振幅が、アンテナ対アンテナ・リンクごとにすなわちサブチャネルごとに示されている。この例では、レーク受信器内で実行される手順に似た、ユーザ機器３０内で実行される経路プロファイリング手順が、サブチャネル・インパルス応答の最上位タップすなわち最大の電力を有するタップを識別するのに使用されるが、他の技法を使用することができる。各単一のアンテナ対アンテナ・リンクのチャネル・インパルス応答の振幅が、時間平均をとられ、最大の電力を有するタップが、識別される。
【００５５】
経路プロファイリングは、低域フィルタ、たとえば一次無限インパルス応答フィルタを使用して時間上とすべてのアンテナ対アンテナ・リンク上との両方でチャネル・インパルス応答の絶対値すなわち振幅の平均をとることによって実現される。時間上またはアンテナ対アンテナ・リンク上での平均化は、すばやくフェージングする成分がない、電力遅延プロファイルと呼ばれるチャネル・インパルス応答をもたらす。時間上およびアンテナ上で平均をとられるそのような電力遅延プロファイルすなわちチャネル・インパルス応答を、図２Ｂに示す。たとえば雑音レベル、干渉レベル、およびあるマージンの組合せによってまたはユーザ機器３０内の受信器の感度レベルによって定義されるあるしきい値未満のすべてのタップは、雑音の多いタップのためにフィードバック・リソースを浪費するのを防ぐために、削除される。図２Ｂでは、しきい値は、破線によって示される。好ましくは、タップ割当で、サンプリング・レートの範囲内である、選択されたタップの間のある最小距離が保たれる。
【００５６】
時間上およびアンテナ上で平均をとられたチャネル・インパルス応答の振幅があるしきい値より大きい時間間隔について、すなわち、タップについて、チャネル・インパルス応答の複素係数が、アンテナ対アンテナ・リンクごとに判定される。好ましくは、チャネル・インパルス応答は、時間間隔内の複素係数の判定の前に、アンテナ対アンテナ・リンクごとに時間平均をとられる。言い替えると、複素係数は、各アンテナ対アンテナ・リンクの瞬間チャネル・インパルス応答から、割り当てられたタップの遅延の位置でとられる。
【００５７】
図２Ｃに示されているように、タップの複素係数の振幅すなわち時間間隔内のチャネル・インパルス応答の振幅が、経時的にアンテナ対アンテナ・サブチャネルごとに示されている。
【００５８】
係数配置
第ｎ受信アンテナで見られるチャネル行列Ｈｎを、次のように定義することができる。
【００５９】
【数３】
2014220826.tif 000005
【００６０】
一実施形態では、チャネル行列を次のように編成して、送信相関と受信相関との両方を取り込むことができる。
【００６１】
【数４】
2014220826.tif 000006
【００６２】
【数５】
2014220826.tif 000007
は、列をその２ノルムによって正規化することによって、Ｈ（ｔ）から定義することができる。
【００６３】
【数６】
2014220826.tif 000008
ベクトル量子化手法が、
【００６４】
【数７】
2014220826.tif 000009
をフィードバックするのに使用され、スカラ量子化手法を、‖ｈｌ（ｔ）‖２，ｌ＝１，…，Ｌをフィードバックするのに使用することができる。
【００６５】
ベクトル量子化を、チャネル表現からの任意の適切なベクトルに適用できることを了解されたい。上の実施形態は、各タップでのリンク・ベクトルの連結にベクトル量子化を適用する。しかし、他の実施形態は、各タップで受信アンテナごとに独立に、または各タップで送信アンテナごとに独立に、または１つもしくは複数のリンクのタップに対応する係数のベクトルについて、個々のベクトルにベクトル量子化を適用することができる。
【００６６】
ベクトル量子化
異なる量子化コードブックを、正規化されたチャネル行列
【００６７】
【数８】
2014220826.tif 000010
の列ごとに作成することができる。Ｃｉ，ｉ＝１，…，Ｌは、
【００６８】
【数９】
2014220826.tif 000011
に関連するコードブックである。一般に、各コードブックは、異なる分解能が異なる経路の量子化に使用されるように、異なるサイズを有することができる。たとえば、より多数のビットを、支配的経路の量子化に使用することができる。基地局２０とユーザ機器３０との両方が、同一のコードブックを共有する。一実施形態では、基地局２０は、ユーザ機器３０での格納のためにユーザ機器３０にコードブックを送信するように動作可能である。
【００６９】
第ｉコードブックに使用されるビット数を、次のように表し、
ｂｉ＝ｌｏｇ２｜Ｃｉ｜
【００７０】
【数１０】
2014220826.tif 000012
のすべての列をシグナリングするためのビットの総数に対する次の制約を使用する。
【００７１】
【数１１】
2014220826.tif 000013
【００７２】
Ｃｉ，ｉ＝１，…，Ｌおよびｂｉ，ｉ＝１，…，Ｌを、所与の判断基準に従って最適化できることを了解されたい。階層量子化を使用する経時的な量子化の連続的洗練が、これから説明されるように使用される。
【００７３】
チャネル方向
【００７４】
【数１２】
2014220826.tif 000014
のフィードバック
階層フィードバック手法は、チャネルが十分にゆっくり変化しつつある場合に、フィードバックを複数のフィードバック間隔にわたって集計でき、その結果、集計されたビットが、より大きいコードブックをインデクシングするようになると仮定するものである。
【００７５】
図３からわかるように、各量子化コードブックを、第ｊレベルのすべての符号語が同一のｊ−１個の上位ビットを有する形で、２進木構造を使用して編成することができる。そのような構造を、階層量子化のイネーブラとして使用することができる。
【００７６】
階層量子化法を、２つのメッセージすなわち基本的なフィードバック・メッセージおよび洗練されたフィードバック・メッセージを参照して説明することができる。基本的なフィードバック・メッセージは、２進木のレベルｂｉで最良の量子化符号語を、通常はそのインデックスを指定することによって指定するｂｉ個のビットを基地局２０に送り返すことによって入手される。洗練されたフィードバック・メッセージは、次のように入手される。時間間隔ｔ−１に、一実施形態で、基地局２０とユーザ機器３０との両方が、ｌ（ｔ−１）＞ｂｉレベルに属する符号語
【００７７】
【数１３】
2014220826.tif 000015
を共有すると仮定する。基地局２０およびユーザ機器３０が、レベルｂｉから始めてレベルｌ（ｔ−１）まで、選択された符号語のシーケンスを保存する必要があることを了解されたい。ｌ（ｔ−１）＝ｂｉのケースは、特定のケースとして入手することができ、ここで、「上向き」移動は、ｂｉレベルの新しい符号語に対応する。
【００７８】
【数１４】
2014220826.tif 000016
の場合には、新しい候補が、ｌ（ｔ−１）＋ｂｉ−１レベルで選択され、
【００７９】
【数１５】
2014220826.tif 000017
から始まる部分木内の位置を示すｂｉ−１個のビットが、基地局２０に送り返され、１つのビットが、木内の「下向き」移動をシグナリングするのに使用される。
【００８０】
【数１６】
2014220826.tif 000018
の場合には、新しい候補が、ｌ（ｔ−１）−（ｂｉ−１）レベルで選択され、
【００８１】
【数１７】
2014220826.tif 000019
から始まる部分木内の位置を示すｂｉ−１個のビットが、基地局２０に送り返され、１つのビットが、木内の「上向き」経路をシグナリングするのに使用される。
【００８２】
図４および５に示された次の２つの例を検討されたい。
【００８３】
図４では、第ｔ時間間隔に、量子化符号語の洗練（「下向き」）が、ｌ（ｔ−１）＝３から開始して行われる。レベル５の新しいベクトルが、基地局２０に送り返される。第ｔ＋１時間間隔には、第２の洗練（「下向き」）が、ｌ（ｔ）＝５から開始して行われる。レベル７の新しいベクトルが、基地局に送り返される。
【００８４】
図５では、第ｔ時間間隔に、量子化符号語の洗練（「下向き」）が、ｌ（ｔ−１）＝３から開始して行われる。レベル５の新しいベクトルが、基地局２０に送り返される。第ｔ＋１時間間隔には、チャネル変動に起因して、
【００８５】
【数１８】
2014220826.tif 000020
が属するのと同一の部分木内で、「上向き」の移動が基地局２０にシグナリングされる。
【００８６】
所与の木レベル内の符号語をシグナリングするのにｂｉ−１個のビットを、木内の「上向き」または「下向き」の移動をシグナリングするのに１ビットを使用する、前に説明した実施形態を、ｘｉビットが所与の木レベル内の所与の符号語をシグナリングするのに使用され、ｙｉビットが木内の移動をシグナリングするのに使用されるケースに一般化することができる。これらのｘｉ、ｙｉを、木内のレベル、ユーザ、…の関数とすることができる。
【００８７】
チャネル・ノルム‖ｈｉ（ｔ）‖２，ｉ＝１，…，Ｌのフィードバック
スカラ‖ｈｉ（ｔ）‖２，ｉ＝１，…，Ｌを、スカラ量子化の伝統的手法を使用して量子化することができる。階層コードブックを使用する連続的量子化を適用することもできることを了解されたい。
【００８８】
したがって、効率的なチャネル状態フィードバックの２つの手法が組み合わされる。第１の手法は、フィードバックが複数のフィードバック間隔にわたって洗練され、その結果、集計されたビットがより大きいコードブックをインデクシングするようになる、いわゆる階層フィードバック手法である。第２の手法は、いわゆる時間領域圧縮フィードバック手法である。この組み合わされた技法は、圧縮時間領域フィードバック情報の異なるフィードバック間隔での連続的洗練を可能にする。
【００８９】
諸実施形態は、一次局および二次局のそれぞれの１つまたは複数のアンテナに適用可能な、一次局と二次局との間の無線チャネルの時間領域表現のフィードバック（二次局から一次局への）の連続的洗練の方法を提供する。
【００９０】
諸実施形態は、チャネル状態情報の以前にフィードバックされた時間領域表現の階層的洗練をフィードバックすることによって、チャネル状態情報フィードバックの正確さを経時的に改善できることを認めるものである。
【００９１】
したがって、諸実施形態は、チャネル状態情報の時間領域表現を時間領域表現の階層量子化によって連続的に洗練できる方法を提供する。
【００９２】
一実施形態では、この方法のステップは、二次局で、
１．Ｍ個の一次局アンテナからＮ個の二次局アンテナへの無線チャネルの時間領域表現を構成することと（Ｍ≧１かつＮ≧１である）、
２．時間領域表現の要素を１つまたは複数のベクトルに集めることと、
３．階層コードブックの第１レベルを含む第１の所定の量子化コードブックに従ってそのまたは各ベクトルを量子化することと、
４．量子化されたベクトル（１つまたは複数）を一次局にシグナリングすることと、
５．階層コードブックの第２レベルを含む第２の所定の量子化コードブックに従って少なくとも１つのベクトルの量子化を洗練することと、
６．少なくとも１つのベクトルの洗練された量子化を一次局にシグナリングすることと
を含む。
【００９３】
時間領域表現の要素を１つまたは複数のベクトルに集めるステップは、異なる実施形態でさまざまな形で実行することができる。一実施形態では、量子化される各ベクトルは、第ｌチャネル・タップの第ｎ受信アンテナのリンク係数の１×Ｍベクトルである。もう１つの実施形態では、量子化される各ベクトルは、第ｌチャネル・タップの第ｍ受信アンテナのリンク係数の１×Ｎベクトルである。もう１つの実施形態では、量子化される各ベクトルは、第ｉチャネル・タップの第ｎ受信アンテナのリンク係数のＮ個の１×Ｍベクトルの連結である。もう１つの実施形態では、量子化される各ベクトルは、第ｌチャネル・タップの第ｍ受信アンテナのリンク係数のＭ個の１×Ｎベクトルの連結である。もう１つの実施形態では、量子化される各ベクトルは、第ｎ受信アンテナおよび第ｍ送信アンテナのリンク係数の１×Ｌベクトルである。もう１つの実施形態では、量子化される各ベクトルは、上記のうちの１つまたは複数の別の連結または部分的連結である。
【００９４】
当業者は、さまざまな上で説明した方法のステップをプログラムされたコンピュータによって実行できることをたやすく認めるであろう。本明細書では、いくつかの実施形態は、機械可読またはコンピュータ可読であり、機械実行可能またはコンピュータ実行可能な命令のプログラムを符号化するプログラム・ストレージ・デバイス、たとえばディジタル・データ記憶媒体を含むことも意図されており、ここで、前記命令は、前記上で説明された方法のステップの一部またはすべてを実行する。プログラム・ストレージ・デバイスを、たとえば、ディジタル・メモリ、磁気ディスクおよび磁気テープなどの磁気記憶媒体、ハード・ドライブ、または光学的に可読のディジタル・データ記憶媒体とすることができる。実施形態は、上で説明された方法の前記ステップを実行するためにプログラムされたコンピュータを含むことも意図されている。
【００９５】
「プロセッサ」または「ロジック」としてラベルを付けられたすべての機能ブロックを含む、図面に示されたさまざまな要素の機能を、専用ハードウェアならびに適当なソフトウェアに関連するソフトウェアを実行できるハードウェアの使用を介して提供することができる。プロセッサによって提供される時に、機能を、単一の専用プロセッサによって、単一の共有されるプロセッサによって、またはそのうちのいくつかを共有できる複数の個々のプロセッサによって提供することができる。さらに、用語「プロセッサ」、「コントローラ」、または「ロジック」の明示的な使用は、ソフトウェアを実行できるハードウェアに排他的に言及すると解釈されてはならず、限定なしに、ディジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを格納する読取り専用メモリ（ＲＯＭ）、ランダム・アクセス・メモリ（ＲＡＭ）、および不揮発性ストレージを暗黙のうちに含むことができる。従来のおよび／またはカスタムの、他のハードウェアを含めることもできる。同様に、図面に示されたすべてのスイッチは、概念的なものにすぎない。その機能を、プログラム論理の動作を介して、専用ロジックを介して、プログラム制御および専用ロジックの相互作用を介して、または手動でさえ実行することができ、特定の技法は、文脈からより具体的に理解されるように、実装者によって選択可能である。
【００９６】
当業者は、本明細書のすべてのブロック図が、本発明の原理を実施する例示的な回路網の概念的な図を表すことを了解するに違いない。同様に、すべてのフロー・チャート、流れ図、状態遷移図、擬似コード、および類似物が、コンピュータ可読媒体内で実質的に表すことができ、コンピュータまたはプロセッサが明示的に図示されていようといまいと、そのようなコンピュータまたはプロセッサによってそのように実行できる、さまざまなプロセスを表すことを了解されたい。
【００９７】
この説明および図面は、単に本発明の原理を例示するものである。したがって、当業者が、本明細書で明示的に説明されまたは図示されてはいないが、本発明の原理を実施し、本発明の趣旨および範囲に含まれる、さまざまな配置を考案できることを了解されたい。さらに、本明細書で列挙されたすべての例は、特に、技術を促進することに本発明人（１つまたは複数）によって貢献される本発明の原理および概念を読者が理解するのを助けるための教育的目的のみのためであることが主に意図され、そのような具体的に列挙された例および条件への限定を伴わないものと解釈されなければならない。さらに、本発明の原理、態様、および実施形態ならびにその特定の例を列挙する本明細書のすべての言明は、その同等物を包含することが意図されている。
【図１】
2014220826.tif 000021
【図２】
2014220826.tif 000022
【図３】
2014220826.tif 000023
【図４】
2014220826.tif 000024
【図５】
2014220826.tif 000025
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
少なくとも１つの送信アンテナを有する第１ネットワーク・ノードと少なくとも１つの受信アンテナを有する第２ネットワーク・ノードとの間で提供される無線通信チャネルのチャネル状態情報を提供する方法であって、
前記少なくとも１つの受信アンテナによって前記チャネルを介して前記少なくとも１つの送信アンテナから受信される信号から前記チャネル内の少なくとも１つのサブチャネルの時間領域で分解可能な複数のタップの各々の特性値を判定するステップと、
前記複数のタップの各々の前記特性値の集合を少なくとも１つのベクトルにアレンジするステップと、
ベクトルの階層コードブックの各レベルのうちのいずれかである第１レベルで複数のコードブック・ベクトルのうちの１つを選択することによって前記複数のタップの各々の前記特性値の集合がアレンジされた前記少なくとも１つのベクトルを量子化するステップと、
複数のコードブック・ベクトルのうちの前記１つへのインデックスの指示を前記第１ネットワーク・ノードに提供するステップと
を含む方法。
【請求項２】
量子化する前記ステップは、
ベクトルごとに、ベクトルの複数の階層コードブックのうちの１つから第１レベルでの複数のコードブック・ベクトルのうちの１つを選択することによって、前記少なくとも１つのベクトルを量子化するステップ
を含む、請求項１に記載の方法。
【請求項３】
ベクトルの前記階層コードブックの階層的に関連するレベルから複数の階層的に関連するコードブック・ベクトルのうちの１つを選択することによって前記少なくとも１つのベクトルを再量子化するステップと、
複数の階層的に関連するコードブック・ベクトルのうちの前記１つへのインデックスの指示を前記第１ネットワーク・ノードに提供するステップと
を含む、請求項１または２に記載の方法。
【請求項４】
ベクトルの前記階層コードブックの階層的に関連するレベルからの複数の階層的に関連するコードブック・ベクトルのうちの前記１つは、前記階層コードブックの子レベルからの複数の子コードブック・ベクトルのうちの１つを含む、請求項３に記載の方法。
【請求項５】
ベクトルの前記階層コードブックの階層的に関連するレベルからの複数の階層的に関連するコードブック・ベクトルのうちの前記１つは、前記階層コードブックの親レベルからの複数の親コードブック・ベクトルのうちの１つを含む、請求項３に記載の方法。
【請求項６】
量子化する前記ステップの前に、前記少なくとも１つのベクトルを前処理するステップ
を含む、請求項１乃至５のいずれか１項に記載の方法。
【請求項７】
前記前処理が正規化を含む時に、正規化する前記ステップによって作られる少なくとも１つのスカラ値を量子化し、前記少なくとも１つのスカラの指示を前記第１ネットワーク・ノードに提供するステップ
を含む、請求項６に記載の方法。
【請求項８】
前記第１ネットワーク・ノードは、少なくともＭ個の送信アンテナを含み、前記第２ネットワーク・ノードは、少なくともＮ個の受信アンテナを含み、判定する前記ステップは、
前記少なくともＮ個の受信アンテナによって前記チャネルを介して前記少なくともＭ個の送信アンテナから受信される信号から前記チャネル内の各サブチャネルの時間領域で分解可能なＬ個のタップの特性を判定するステップであって、Ｌは正の整数である、ステップ
を含む、請求項１乃至７のいずれか１項に記載の方法。
【請求項９】
アレンジする前記ステップは、
前記チャネル内の各サブチャネルの時間領域で分解可能な前記Ｌ個のタップの前記特性値の集合を各タップの前記少なくともＮ個の受信アンテナのそれぞれの特性のベクトルにアレンジするステップ
を含む、請求項８に記載の方法。
【請求項１０】
アレンジする前記ステップは、
前記チャネル内の各サブチャネルの時間領域で分解可能な前記Ｌ個のタップの前記特性値の集合を各タップの前記少なくともＭ個の送信アンテナのそれぞれの特性のベクトルにアレンジするステップ
を含む、請求項８に記載の方法。
【請求項１１】
アレンジする前記ステップは、
前記チャネル内の各サブチャネルの時間領域で分解可能な前記Ｌ個のタップの前記特性値の集合を各タップの各受信アンテナの特性のベクトルの連結にアレンジするステップ
を含む、請求項８に記載の方法。
【請求項１２】
アレンジする前記ステップは、
前記チャネル内の各サブチャネルの時間領域で分解可能な前記Ｌ個のタップの前記特性値の集合を各タップの各送信アンテナの特性のベクトルの連結にアレンジするステップ
を含む、請求項８に記載の方法。
【請求項１３】
アレンジする前記ステップは、
前記チャネル内の各サブチャネルの時間領域で分解可能な前記Ｌ個のタップの前記特性値の集合を前記少なくともＭ個の送信アンテナのそれぞれおよび前記少なくともＮ個の受信アンテナのそれぞれの特性のベクトルにアレンジするステップであって、各ベクトルは、１×Ｌの次元を有する、ステップ
を含む、請求項８に記載の方法。
【請求項１４】
コンピュータ上で実行される時に、請求項１乃至１３のいずれか１項に記載の方法ステップを実行するように動作可能なコンピュータ・プログラム。
【請求項１５】
少なくとも１つの受信アンテナを有するネットワーク・ノードであって、少なくとも１つの送信アンテナを有する別のネットワーク・ノードと前記ネットワーク・ノードとの間に提供される無線通信チャネルのチャネル状態情報を提供するように動作可能であり、
前記少なくとも１つの受信アンテナによって前記チャネルを介して前記少なくとも１つの送信アンテナから受信される信号から前記チャネル内の少なくとも１つのサブチャネルの時間領域で分解可能な複数のタップの各々の特性値を判定するように動作可能な判定論理と、
前記複数のタップの各々の前記特性値の集合を少なくとも１つのベクトルにアレンジするように動作可能なアレンジメント論理と、
ベクトルの階層コードブックの各レベルのうちのいずれかである第１レベルで複数のコードブック・ベクトルのうちの１つを選択することによって前記複数のタップの各々の前記特性値の集合がアレンジされた前記少なくとも１つのベクトルを量子化するように動作可能な量子化論理と、
複数のコードブック・ベクトルのうちの前記１つへのインデックスの指示を前記別のネットワーク・ノードに提供するように動作可能な提供論理と
を含むネットワーク・ノード。
【手続補正２】
【補正対象書類名】明細書
【補正対象項目名】０００５
【補正方法】変更
【補正の内容】
【０００５】
第１の態様によれば、少なくとも１つの送信アンテナを有する第１ネットワーク・ノードと少なくとも１つの受信アンテナを有する第２ネットワーク・ノードとの間で提供される無線通信チャネルのチャネル状態情報を提供する方法であって、少なくとも１つの受信アンテナによってチャネルを介して送信アンテナのうちの少なくとも１つから受信される信号からチャネル内の少なくとも１つのサブチャネルの時間領域で分解可能な各タップの特性を判定するステップと、特性を少なくとも１つのベクトルにアレンジするステップと、ベクトルの階層コードブックの第１レベルで複数のコードブック・ベクトルのうちの１つを選択することによって少なくとも１つのベクトルを量子化するステップと、複数のコードブック・ベクトルのうちの１つへのインデックスの指示を第１ネットワーク・ノードに提供するステップとを含む方法が提供される。
【手続補正３】
【補正対象書類名】明細書
【補正対象項目名】０００７
【補正方法】変更
【補正の内容】
【０００７】
したがって、チャネル内の少なくとも１つのサブチャネルの時間領域で分解可能な各タップの特性が、受信アンテナによって受信された信号から判定される。したがって、受信信号のすべての特性を判定する必要はない。これらのタップは、たとえば、それらがある所定の信号しきい値を超えるという点で識別されることが可能であり、ならびにタップを区別可能にすることができるのに十分なだけ時間的に分離されることが可能である。その後、分解可能なタップの特性は、少なくとも１つのベクトルにアレンジされる。特性をこのベクトルにアレンジすることは、効率的なグループ化を提供し、このグループ化がなければ、後続の量子化ステップの利益を達成することがむずかしくなる。その後、後続の１つまたは複数のベクトルが、ベクトルの階層コードブックを使用して量子化される。ベクトルのそのような階層コードブックが、階層コードブックの各レベルで複数のコードブック・ベクトルを提供し、このレベルのそれぞれが、たとえばコードブック・ベクトルがたとえば量子化されるベクトルへの最もよい一致であること、そのベクトルへの最良一致であること、または最小の誤差を提供することなどの所定の判断基準に基づいて選択可能であることを了解されたいが、階層コードブックの使用が、量子化されるベクトルをよりよく表すことができるさらなるコードブック・ベクトルへの後続の洗練を可能にするので、他の選択判断基準を適用できることをも了解されたい。その後、選択されたコードブック・ベクトルへのインデックスを、第１ネットワーク・ノードに提供することができる。したがって、選択されたベクトル自体を送信するのではなく、そのベクトルへのインデックスだけを提供する必要があり、これが、通常はより少数のビットを用いて表現可能であることを了解されたい。第１ネットワーク・ノードは、ベクトルのコードブックのコピーをも有するが、その後、選択されたベクトルを識別し、そのコードブック・ベクトルからの各サブチャネルの時間領域で分解可能な各タップの近似特性を判定するのにそのベクトルを利用し、それ相応にその送信を適合させることができる。したがって、提供されるチャネル状態フィードバック情報の量を、各分解可能なタップの識別する特性だけの組合せを介して、これらの特性を量子化するための階層コードブックの利用によって、劇的に減らすことができ、これが、これらの特性のベクトルへのアレンジのゆえに可能であることがわかる。そのような手法は、フィードバックされる情報の量を最小にしながら、チャネル状態情報の十分に正確な指示を第１ネットワーク・ノードに提供することを可能にする。
【手続補正４】
【補正対象書類名】明細書
【補正対象項目名】００１４
【補正方法】変更
【補正の内容】
【００１４】
一実施形態では、判定するステップは、少なくとも１つのサブチャネル上で経時的に受信された信号を所定のしきい値と比較することによって、少なくとも１つの受信アンテナによってチャネルを介して少なくとも１つの送信アンテナから受信される信号からチャネル内の少なくとも１つのサブチャネルの時間領域で分解可能な各タップの特性を判定するステップを含む。他の技法を利用して、各分解可能なタップの時間領域特性を判定できることを了解されたい。
【手続補正５】
【補正対象書類名】明細書
【補正対象項目名】００１５
【補正方法】変更
【補正の内容】
【００１５】
一実施形態では、第１ネットワーク・ノードは、少なくともＭ個の送信アンテナを含み、第２ネットワーク・ノードは、少なくともＮ個の受信アンテナを含み、判定するステップは、少なくともＮ個の受信アンテナによってチャネルを介して少なくともＭ個の送信アンテナから受信される信号からチャネル内の各サブチャネルの時間領域で分解可能なＬ個のタップの特性を判定するステップであって、Ｌは正の整数である、ステップを含む。
【手続補正６】
【補正対象書類名】明細書
【補正対象項目名】００１６
【補正方法】変更
【補正の内容】
【００１６】
一実施形態では、アレンジするステップは、チャネル内の各サブチャネルの時間領域で分解可能なＬ個のタップの特性を各タップの少なくともＮ個の受信アンテナのそれぞれの特性のベクトルにアレンジするステップであって、各ベクトルは１×Ｍの次元を有する、ステップを含む。
【手続補正７】
【補正対象書類名】明細書
【補正対象項目名】００１７
【補正方法】変更
【補正の内容】
【００１７】
一実施形態では、アレンジするステップは、チャネル内の各サブチャネルの時間領域で分解可能なＬ個のタップの特性を各タップの少なくともＭ個の送信アンテナのそれぞれの特性のベクトルにアレンジするステップであって、各ベクトルは１×Ｎの次元を有する、ステップを含む。
【手続補正８】
【補正対象書類名】明細書
【補正対象項目名】００１８
【補正方法】変更
【補正の内容】
【００１８】
一実施形態では、アレンジするステップは、チャネル内の各サブチャネルの時間領域で分解可能なＬ個のタップの特性を各タップの少なくともＮ個の受信アンテナのそれぞれの特性のＮ個のベクトルの連結にアレンジするステップであって、Ｎ個のベクトルのそれぞれは１×Ｍの次元を有する、ステップを含む。
【手続補正９】
【補正対象書類名】明細書
【補正対象項目名】００１９
【補正方法】変更
【補正の内容】
【００１９】
一実施形態では、アレンジするステップは、チャネル内の各サブチャネルの時間領域で分解可能なＬ個のタップの特性を各タップの少なくともＭ個の送信アンテナのそれぞれの特性のＭ個のベクトルの連結にアレンジするステップであって、Ｍ個のベクトルのそれぞれは１×Ｎの次元を有する、ステップを含む。
【手続補正１０】
【補正対象書類名】明細書
【補正対象項目名】００２０
【補正方法】変更
【補正の内容】
【００２０】
一実施形態では、アレンジするステップは、チャネル内の各サブチャネルの時間領域で分解可能なＬ個のタップの特性を少なくともＭ個の送信アンテナのそれぞれおよび少なくともＮ個の受信アンテナのそれぞれの特性のベクトルにアレンジするステップであって、各ベクトルは、１×Ｌの次元を有する、ステップを含む。
【手続補正１１】
【補正対象書類名】明細書
【補正対象項目名】００２４
【補正方法】変更
【補正の内容】
【００２４】
第３の態様によれば、少なくとも１つの受信アンテナを有するネットワーク・ノードであって、少なくとも１つの送信アンテナを有する別のネットワーク・ノードとネットワーク・ノードとの間に提供される無線通信チャネルのチャネル状態情報を提供するように動作可能であり、少なくとも１つの受信アンテナによってチャネルを介して少なくとも１つの送信アンテナから受信される信号からチャネル内の少なくとも１つのサブチャネルの時間領域で分解可能な各タップの特性を判定するように動作可能な判定論理と、特性を少なくとも１つのベクトルにアレンジするように動作可能なアレンジメント論理と、ベクトルの階層コードブックの第１レベルで複数のコードブック・ベクトルのうちの１つを選択することによって少なくとも１つのベクトルを量子化するように動作可能な量子化論理と、複数のコードブック・ベクトルのうちの１つへのインデックスの指示を別のネットワーク・ノードに提供するように動作可能な提供論理とを含むネットワーク・ノードが提供される。
【手続補正１２】
【補正対象書類名】明細書
【補正対象項目名】００３１
【補正方法】変更
【補正の内容】
【００３１】
一実施形態では、判定論理は、少なくとも１つのサブチャネル上で経時的に受信された信号を所定のしきい値と比較することによって、少なくとも１つの受信アンテナによってチャネルを介して少なくとも１つの送信アンテナから受信される信号からチャネル内の少なくとも１つのサブチャネルの時間領域で分解可能な各タップの特性を判定するように動作可能である。
【手続補正１３】
【補正対象書類名】明細書
【補正対象項目名】００３２
【補正方法】変更
【補正の内容】
【００３２】
一実施形態では、第１ネットワーク・ノードは、少なくともＭ個の送信アンテナを含み、第２ネットワーク・ノードは、少なくともＮ個の受信アンテナを含み、判定論理は、少なくともＮ個の受信アンテナによってチャネルを介して少なくともＭ個の送信アンテナから受信される信号からチャネル内の各サブチャネルの時間領域で分解可能なＬ個のタップの時間を判定するように動作可能であり、Ｌは正の整数である。
【手続補正１４】
【補正対象書類名】明細書
【補正対象項目名】００３３
【補正方法】変更
【補正の内容】
【００３３】
一実施形態では、アレンジメント論理は、チャネル内の各サブチャネルの時間領域で分解可能なＬ個のタップの特性を各タップの少なくともＮ個の受信アンテナのそれぞれの特性のベクトルにアレンジするように動作可能であり、各ベクトルは、１×Ｍの次元を有する。
【手続補正１５】
【補正対象書類名】明細書
【補正対象項目名】００３４
【補正方法】変更
【補正の内容】
【００３４】
一実施形態では、アレンジメント論理は、チャネル内の各サブチャネルの時間領域で分解可能なＬ個のタップの特性を各タップの少なくともＭ個の送信アンテナのそれぞれの特性のベクトルにアレンジするように動作可能であり、各ベクトルは、１×Ｎの次元を有する。
【手続補正１６】
【補正対象書類名】明細書
【補正対象項目名】００３５
【補正方法】変更
【補正の内容】
【００３５】
一実施形態では、アレンジメント論理は、チャネル内の各サブチャネルの時間領域で分解可能なＬ個のタップの特性を各タップの少なくともＮ個の受信アンテナのそれぞれの特性のＮ個のベクトルの連結にアレンジするように動作可能であり、Ｎ個のベクトルのそれぞれは、１×Ｍの次元を有する。
【手続補正１７】
【補正対象書類名】明細書
【補正対象項目名】００３６
【補正方法】変更
【補正の内容】
【００３６】
一実施形態では、アレンジメント論理は、チャネル内の各サブチャネルの時間領域で分解可能なＬ個のタップの特性を各タップの少なくともＭ個の送信アンテナのそれぞれの特性のＭ個のベクトルの連結にアレンジするように動作可能であり、Ｍ個のベクトルのそれぞれは、１×Ｎの次元を有する。
【手続補正１８】
【補正対象書類名】明細書
【補正対象項目名】００３７
【補正方法】変更
【補正の内容】
【００３７】
一実施形態では、アレンジメント論理は、チャネル内の各サブチャネルの時間領域で分解可能なＬ個のタップの特性を少なくともＭ個の送信アンテナのそれぞれおよび少なくともＮ個の受信アンテナのそれぞれの特性のベクトルにアレンジするように動作可能であり、各ベクトルは、１×Ｌの次元を有する。
【手続補正１９】
【補正対象書類名】明細書
【補正対象項目名】００４６
【補正方法】変更
【補正の内容】
【００４６】
各ユーザ機器３０は、無線送信を使用するネットワーク内での信号の送信および受信に関するモバイル端末の機能性を含む。さらに、ユーザ機器３０は、基地局２０のアンテナとユーザ機器３０のアンテナとの間の少なくとも１つのサブチャネルに関する時間領域での少なくとも１つのチャネル・インパルス応答を判定し、タップを識別するために前記少なくとも１つのチャネル・インパルス応答を事前定義のしきい値と比較し、前記事前定義のしきい値より大きい電力を有する少なくとも１つのチャネル・インパルス応答の１つまたは複数の時間間隔に関連する少なくとも１つの複素係数すなわち分解可能なタップのそれぞれの係数だけを判定するように適合された少なくとも１つの処理手段を含む。ユーザ機器３０は、これらの複素係数を１つまたは複数のベクトルにアレンジする手段と、少なくとも１つの階層コードブックを使用してこれらのベクトルを量子化する手段と、階層コードブックから選択されたベクトルを識別するインデックスを基地局にシグナリングする手段とをも含む。
【手続補正２０】
【補正対象書類名】明細書
【補正対象項目名】００４７
【補正方法】変更
【補正の内容】
【００４７】
分解可能なタップの係数の識別、これらの係数のベクトルへのアレンジ、および基地局への送信のためにインデックスを識別するための階層コードブックを使用するこれらのベクトルの量子化の組合せは、チャネル状態情報を提供することに対する特に効率的な技法を提供する。
【手続補正２１】
【補正対象書類名】明細書
【補正対象項目名】００５０
【補正方法】変更
【補正の内容】
【００５０】
【数２】
2014220826.tif 000026
は、このリンクに関する分解可能な経路の集合を表す。例のサブチャネルに関するそのようなベースバンド・チャネル時間領域応答表現は、下でより詳細に説明されるように、ユーザ機器３０によって導出可能であり、図２Ｃに絵図的に示されている。
【手続補正２２】
【補正対象書類名】明細書
【補正対象項目名】００５１
【補正方法】変更
【補正の内容】
【００５１】
次の例では、｜Δｎｍ｜＝Ｌ∀ｎ，ｍと仮定する。言い替えると、分解可能な経路の個数が、異なるリンクについて同一であり、タップのタイミングが、各サブチャネルについて同一であると仮定する。
【手続補正２３】
【補正対象書類名】明細書
【補正対象項目名】００５８
【補正方法】変更
【補正の内容】
【００５８】
係数アレンジメント
第ｎ受信アンテナで見られるチャネル行列Ｈｎを、次のように定義することができる。